(57)【要約】  記録媒体の磁気記録面の任意の位置に情報を記録する記録ヘッド部と、磁気記録面の任意の位置に記録されている情報を再生する再生ヘッド素子を含む再生ヘッド部とを有する磁気ヘッドが、記録媒体の任意の位置に記録された磁化パターンの湾曲した形状に合わせて、湾曲した形状の再生ヘッド素子を形成することによって、再生ヘッド素子と記録媒体の磁気記録面との間のリードギャップの形状を磁化パターンの形状にほぼ合致させるようにしている。また一方で、リードギャップの形状を磁化パターンの形状にほぼ合致させるようにした再生ヘッド素子を有するディスク装置が提供される。
2007074522.tif 000002
【特許請求の範囲】
【請求項１】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に合わせて前記再生ヘッド素子を形成することによって、前記再生ヘッド素子と前記磁気記録面との間のギャップの形状を前記磁化パターンの形状にほぼ合致させるようにしたことを特徴とする磁気ヘッド。
【請求項２】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に合わせて、磁気シールド部材の一部に窓部を形成し、前記磁気シールド部材の前記窓部以上の寸法を有する再生ヘッド素子と、前記磁気シールド部材とを組み合わせることによって、前記再生ヘッド素子と前記磁気記録面との間のギャップの形状を前記磁化パターンの形状にほぼ合致させるようにしたことを特徴とする磁気ヘッド。
【請求項３】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記再生ヘッド素子を複数の再生ヘッド素子部に分割し、前記記録媒体の前記任意の位置に記録された磁化パターンの形状に合わせて前記複数の再生ヘッド素子部を並べ、各々の前記再生ヘッド素子部を電極により接続することによって、前記再生ヘッド素子と前記磁気記録面との間のギャップの形状を前記磁化パターンの形状にほぼ合致させるようにしたことを特徴とする磁気ヘッド。
【請求項４】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記再生ヘッド素子を複数の再生ヘッド素子部に分割し、前記記録媒体の前記任意の位置に記録された磁化パターンの形状に合わせて前記複数の再生ヘッド素子部を並べ、各々の前記再生ヘッド素子部を電極およびピエゾ素子により接続し、
各々の前記再生ヘッド素子部により前記情報を再生して得られる再生信号の品質を判定し、前記再生信号の品質判定結果として出力される電圧に応じて、各々の前記再生ヘッド素子部の対応するピエゾ素子の寸法を変化させることによって、前記再生ヘッド素子と前記磁気記録面との間のギャップの形状を前記磁化パターンの形状にほぼ合致させるようにしたことを特徴とする磁気ヘッド。
【請求項５】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に基づいて、前記再生ヘッド素子の両端の電極の一部が、前記再生ヘッド素子の角の部分で略三角形の形状になるように当該電極を形成し、当該電極に前記再生ヘッド素子を接続することによって、前記再生ヘッド素子と前記磁気記録面との間のギャップの形状を前記磁化パターンの形状にほぼ合致させるようにしたことを特徴とする磁気ヘッド。
【請求項６】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に合わせて、電極部材の一部に窓部を形成し、前記電極部材のほぼ中心部で前記電極部材を２つの部分に分断し、前記電極部材の前記窓部以上の寸法を有する再生ヘッド素子と、２つの部分に分断された前記電極部材とを組み合わせることによって、前記再生ヘッド素子と前記磁気記録面との間のギャップの形状を前記磁化パターンの形状にほぼ合致させるようにしたことを特徴とする磁気ヘッド。
【請求項７】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に基づいて、前記再生ヘッド素子の両端の第１の電極の一部が、前記再生ヘッド素子の一方の側における角の部分で略三角形の形状になるように当該第１の電極を形成し、かつ、前記再生ヘッド素子の他方の側の部分に、略台形の形状を有する第２の電極を形成し、前記第１の電極および前記第２の電極に前記再生ヘッド素子を接続することによって、前記再生ヘッド素子と前記磁気記録面との間のギャップの形状を前記磁化パターンの形状にほぼ合致させるようにしたことを特徴とする磁気ヘッド。
【請求項８】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に合わせて前記再生ヘッド素子を形成することによって、前記再生ヘッド素子と前記磁気記録面との間のギャップの形状を前記磁化パターンの形状にほぼ合致させるようにしたことを特徴とするディスク装置。
【請求項９】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に合わせて、磁気シールド部材の一部に窓部を形成し、前記磁気シールド部材の前記窓部以上の寸法を有する再生ヘッド素子と、前記磁気シールド部材とを組み合わせることによって、前記再生ヘッド素子と前記磁気記録面との間のギャップの形状を前記磁化パターンの形状にほぼ合致させるようにしたことを特徴とするディスク装置。
【請求項１０】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記再生ヘッド素子を複数の再生ヘッド素子部に分割し、前記ディスクの前記任意の位置に記録された磁化パターンの形状に合わせて前記複数の再生ヘッド素子部を並べ、各々の前記再生ヘッド素子部を電極により接続することによって、前記再生ヘッド素子と前記磁気記録面との間のギャップの形状を前記磁化パターンの形状にほぼ合致させるようにしたことを特徴とするディスク装置。
【請求項１１】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記再生ヘッド素子を複数の再生ヘッド素子部に分割し、前記ディスクの前記任意の位置に記録された磁化パターンの形状に合わせて前記複数の再生ヘッド素子部を並べ、各々の前記再生ヘッド素子部を電極およびピエゾ素子により接続し、
前記ディスク装置が、さらに、
各々の前記再生ヘッド素子部により前記情報を再生して得られる再生信号の品質を判定する信号品質判定手段と、
前記ピエゾ素子を制御するピエゾ制御手段とを備え、
前記信号品質判定手段による前記再生信号の品質判定結果として出力される電圧に応じて、各々の前記再生ヘッド素子部の対応するピエゾ素子の寸法を前記ピエゾ制御手段により変化させることによって、前記再生ヘッド素子と前記磁気記録面との間のギャップの形状を前記磁化パターンの形状にほぼ合致させるようにしたことを特徴とするディスク装置。
【請求項１２】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に基づいて、前記再生ヘッド素子の両端の電極の一部が、前記再生ヘッド素子の角の部分で略三角形の形状になるように当該電極を形成し、当該電極に前記再生ヘッド素子を接続することによって、前記再生ヘッド素子と前記磁気記録面との間のギャップの形状を前記磁化パターンの形状にほぼ合致させるようにしたことを特徴とするディスク装置。
【請求項１３】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に合わせて、電極部材の一部に窓部を形成し、前記電極部材のほぼ中心部で前記電極部材を２つの部分に分断し、前記電極部材の前記窓部以上の寸法を有する再生ヘッド素子と、２つの部分に分断された前記電極部材とを組み合わせることによって、前記再生ヘッド素子と前記磁気記録面との間のギャップの形状を前記磁化パターンの形状にほぼ合致させるようにしたことを特徴とするディスク装置。
【請求項１４】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に基づいて、前記再生ヘッド素子の両端の第１の電極の一部が、前記再生ヘッド素子の一方の側における角の部分で略三角形の形状になるように当該第１の電極を形成し、かつ、前記再生ヘッド素子の他方の側の部分に、略台形の形状を有する第２の電極を形成し、前記第１の電極および前記第２の電極に前記再生ヘッド素子を接続することによって、前記再生ヘッド素子と前記磁気記録面との間のギャップの形状を前記磁化パターンの形状にほぼ合致させるようにしたことを特徴とするディスク装置。
【請求項１５】
前記再生ヘッド素子と前記磁気記録面との間のギャップの形状を前記磁化パターンの形状にほぼ合致させるための動作に関連した電子回路系が、前記制御部を構成する電子回路系と同一のプリント基板上に実装されることを特徴とする請求項８から１４のいずれか一項に記載のディスク装置。
【請求項１６】
前記再生ヘッド素子と前記磁気記録面との間のギャップの形状を前記磁化パターンの形状にほぼ合致させるための動作に関連した電子回路系が、集積回路により作製されることを特徴とする請求項８から１４のいずれか一項に記載のディスク装置。
【発明の詳細な説明】
【技術分野】
【０００１】
本発明は、磁気記録方式を用いて記録媒体の磁気記録面の任意の位置に情報（データ）を記録する記録ヘッド部と、記録媒体の磁気記録面の任意の位置に記録されている情報（データ）を再生する再生ヘッド部とを有する磁気ヘッド、および、当該磁気ヘッドを備えた磁気ディスク装置や光磁気ディスク装置等のディスク装置に関する。
【背景技術】
【０００２】
磁気ディスク装置や光磁気ディスク装置等のディスク装置では、薄膜磁気ヘッドに代表される磁気ヘッドを用いて、ディスク等の記録媒体における磁気記録面の任意の位置（例えば、任意のトラック）に情報を記録することでデータの書き込み動作が実行され、当該磁気記録面の任意の位置に記録されている情報を再生することでデータの読み出し動作が実行される。【０００３】
ディスク等の記録媒体にデータを記録する際の磁気記録方式として、現在既に実用化されているような磁化信号の向きが記録媒体の面内方向になっている長手磁気記録方式と、磁化信号の向きが記録媒体の磁気記録面に垂直な方向になっている垂直磁気記録方式とが挙げられる。一般的にいって、垂直磁気記録方式は長手磁気記録方式に比べて記録媒体の熱揺らぎの影響を受けにくく、比較的高い磁気記録密度（例えば、線記録密度）を実現することが可能であるといわれている。【０００４】
長手磁気記録方式を用いたディスク装置においては、一般に、ディスク等の磁気記録面の任意のトラックに対してデータの書き込み動作やデータの読み出し動作を安定に実行するために、記録ヘッド部と磁気記録面との間および再生ヘッド部と磁気記録面との間に、予め規定されたギャップが設けられている。【０００５】
通常、再生ヘッド部と磁気記録面との間に設けられているギャップ（すなわち、リードギャップ）の形状は、矩形になっている。この場合、ディスク装置の高密度化を図るために、磁気ヘッドのコア幅を小さくしてトラック密度を増加させるか、または、ビット方向に詰めて情報を記録する方法を取ってきた。しかしながら、磁気記録密度を高めるために磁気ヘッドのコア幅の狭小化が進んでおり、規定のコア幅を構築するプロセスはかなり困難になっている。このため、磁気ヘッド製造の歩留りが低下し、コストの面から見てかなり費用がかさむ等の問題が山積している。さらに、磁気ヘッドのコア幅の狭小化が進むにつれて、再生ヘッド部による再生信号の信号対雑音比（ＳＮ比）が低下していく傾向になる。このため、長手磁気記録方式を用いたディスク装置の高密度化の傾向は横ばいになりつつある。【０００６】
また一方で、ディスク装置の高密度化に対応するための有効技術とされている垂直磁気記録方式において、従来は、再生ヘッド部内の再生ヘッド素子のヘッド浮上面の形状が矩形になっている。この垂直磁気記録方式では、再生ヘッド部と磁気記録面との間に設けられているギャップの形状は、再生ヘッド部内の再生ヘッド素子の形状により決まっているので、長手磁気記録方式の場合と同様に矩形になる。【０００７】
単磁極型の垂直磁気記録ヘッド（通常、磁気ヘッドの記録ヘッド部を指している）を用いて垂直磁気記録方式により記録媒体の磁気記録面に情報を記録する場合、磁気記録面の近傍の記録磁界強度の等高線は、記録ヘッド部内の単一の主磁極部の中心部を最大強度として同心円状に分布し、等高線の外側ほど膨らんだ分布を示している。それゆえに、記録媒体上の磁気記録面の磁化状態を決定する記録磁界強度の分布は湾曲した形状になる。【０００８】
このような記録磁界強度の分布を有する記録ヘッド部を用いて、ディスク等の記録媒体に情報の書き込みを行った場合、記録媒体の磁気記録面の任意のトラックに記録された磁化パターンの形状は、トラックの長さ方向（すなわち、ビット方向）に対して湾曲したような形状になっている。【０００９】
このような湾曲した形状の磁化パターンに対して、リードギャップの形状が矩形のタイプの再生ヘッド部により情報を再生する場合、トラックの端部の部分で前のビットの一部を再生してしまうことになる。このため、従来の垂直磁気記録方式の磁気ヘッドにおいては、トラックの端部のトラックエッジノイズが再生信号に混入し、再生信号の信号対雑音比（ＳＮ比）が低下するという問題が発生する。これと同時に、記録媒体の線記録密度の上昇に伴い、湾曲した形状の磁化パターンが記録されているトラックの幅が実質的に狭められて見えてしまうという問題も発生する。この問題によって、ディスク装置のさらなる高密度化の実現が阻害されるおそれがある。【００１０】
上記のような問題点に対処するための一つの方策として、下記の特許文献１に示すように、垂直磁気記録ヘッドの主磁極部のヘッド浮上面の形状が記録磁界強度の分布に影響を及ぼすことに着目し、垂直磁気記録ヘッドの主磁極部に対して、記録媒体の回転方向の下流側すなわちトレーリング側に凹部（くぼみ）を形成した磁気ヘッドが記載されている。
しかしながら、一般に、ディスク装置の高密度化に対応するために、垂直磁気記録ヘッドの主磁極部は比較的高い寸法精度が要求されるような微細構造になっており、このような微細構造の主磁極部に凹部を形成することは技術的に困難である。したがって、特許文献１に記載の垂直磁気記録ヘッドを製造することは事実上不可能であり、記録媒体の磁気記録面に記録された磁化パターンの形状は、依然として、トラックの長さ方向に対して湾曲した形状になっている。さらに、特許文献１では、再生ヘッドの再生素子の形状に関しては何の対策も講じられておらず、従来の垂直磁気記録方式による磁気ヘッドを使用した場合と同様の問題が依然として残る。【００１１】
【特許文献１】特開２００２−２７９６０６号公報
【００１２】
なお、従来の垂直磁気記録方式の磁気ヘッド、および、それらの問題点に関しては、後に図面を参照して詳述する。
【発明の開示】
【００１３】
本発明の目的は、特に垂直磁気記録方式を用いて情報の再生を行う場合に、記録媒体の磁気記録面に記録された湾曲した形状の磁化パターンに影響されることなく再生信号のＳＮ比を向上させ、これによって、磁気ディスク装置のさらなる高密度化に対応することが可能になるような磁気ヘッドおよびディスク装置を提供することにある。
【００１４】
上記目的を達成するために、本発明の第１の態様において、記録媒体の磁気記録面の任意の位置（例えば、任意のトラック）に情報を記録する記録ヘッド部と、上記磁気記録面の任意の位置に記録されている情報を再生する再生ヘッド素子を含む再生ヘッド部とを有し、上記記録媒体の上記任意の位置に記録された磁化パターンの形状に合わせて上記再生ヘッド素子を形成することによって、上記再生ヘッド素子と上記磁気記録面との間のギャップ（すなわち、リードギャップ）の形状を上記磁化パターンの形状にほぼ合致させるようにした磁気ヘッドが提供される。
【００１５】
本発明の第２の態様において、記録媒体の磁気記録面の任意の位置に情報を記録する記録ヘッド部と、上記磁気記録面の任意の位置に記録されている情報を再生する再生ヘッド素子を含む再生ヘッド部とを有し、上記記録媒体の上記任意の位置に記録された磁化パターンの形状に合わせて、磁気シールド部材の一部に窓部を形成し、上記磁気シールド部材の上記窓部以上の寸法を有する再生ヘッド素子と、上記磁気シールド部材とを組み合わせることによって、上記再生ヘッド素子と上記磁気記録面との間のギャップの形状を上記磁化パターンの形状にほぼ合致させるようにした磁気ヘッドが提供される。
【００１６】
本発明の第３の態様において、記録媒体の磁気記録面の任意の位置に情報を記録する記録ヘッド部と、上記磁気記録面の任意の位置に記録されている情報を再生する再生ヘッド素子を含む再生ヘッド部とを有し、上記再生ヘッド素子を複数の再生ヘッド素子部に分割し、上記記録媒体の上記任意の位置に記録された磁化パターンの形状に合わせて上記複数の再生ヘッド素子部を並べ、各々の上記再生ヘッド素子部を電極により接続することによって、上記再生ヘッド素子と上記磁気記録面との間のギャップの形状を上記磁化パターンの形状にほぼ合致させるようにした磁気ヘッドが提供される。
【００１７】
本発明の第４の態様において、記録媒体の磁気記録面の任意の位置に情報を記録する記録ヘッド部と、上記磁気記録面の任意の位置に記録されている情報を再生する再生ヘッド素子を含む再生ヘッド部とを有し、上記再生ヘッド素子を複数の再生ヘッド素子部に分割し、上記記録媒体の上記任意の位置に記録された磁化パターンの形状に合わせて上記複数の再生ヘッド素子部を並べ、各々の上記再生ヘッド素子部を電極およびピエゾ素子により接続し、各々の上記再生ヘッド素子部により上記情報を再生して得られる再生信号の品質を判定し、上記再生信号の品質判定結果として出力される電圧に応じて、各々の上記再生ヘッド素子部の対応するピエゾ素子の寸法を変化させることによって、上記再生ヘッド素子と上記磁気記録面との間のギャップの形状を上記磁化パターンの形状にほぼ合致させるようにした磁気ヘッドが提供される。
【００１８】
本発明の第５の態様において、ディスクを回転可能に駆動するディスク駆動部と、上記ディスクの磁気記録面の任意の位置に情報を記録する記録ヘッド部と、上記磁気記録面の任意の位置に記録されている情報を再生する再生ヘッド素子を含む再生ヘッド部とを有する磁気ヘッドと、上記ディスクの内周部の位置と外周部の位置との間を往復移動するように上記磁気ヘッドを駆動するヘッド駆動部と、上記磁気ヘッドを用いて上記ディスクの上記任意の位置に情報を記録する動作、および、上記ディスクの上記任意の位置に記録されている情報を再生する動作を含む各種の動作を制御する制御部とを備え、上記ディスクの上記任意の位置に記録された磁化パターンの形状に合わせて上記再生ヘッド素子を形成することによって、上記再生ヘッド素子と上記磁気記録面との間のギャップの形状を上記磁化パターンの形状にほぼ合致させるようにしたディスク装置が提供される。
【００１９】
要約すれば、本発明の第１の態様によれば、記録媒体の磁気記録面に記録された磁化パターンの湾曲した形状に合わせて再生ヘッド部内の再生ヘッド素子を形成することによって、再生ヘッド素子と磁気記録面との間のリードギャップの形状を上記磁化パターンの形状にほぼ合致させるようにしている。それゆえに、再生ヘッド素子が、トラックの端部の部分で湾曲した形状の磁化パターンを読み取ることがなくなり、トラックの端部のトラックエッジノイズが再生されないようになるので、再生信号のＳＮ比が増加する。一般に、再生ヘッド部内の再生ヘッド素子の寸法の許容誤差範囲は、記録ヘッド部内の主磁極部の寸法の許容誤差範囲よりも大きくなっているので、上記のような湾曲した形状の再生ヘッド素子を形成することは比較的容易である点に注目すべきである。
【００２０】
また一方で、本発明の第２の態様によれば、記録媒体の磁気記録面に記録された磁化パターンの湾曲した形状に合わせて、磁気シールド部材の一部に窓部（開口部）を形成し、この窓部以上の寸法を有する再生ヘッド素子と磁気シールド部材とを組み合わせることによって、上記窓部に対応するリードギャップの形状を上記磁化パターンの形状にほぼ合致させるようにしている。それゆえに、前述の第１の態様の場合と同様に、再生ヘッド素子が、トラックの端部の部分で湾曲した形状の磁化パターンを読み取ることがなくなり、トラックの端部のトラックエッジノイズが再生されないようになるので、再生信号のＳＮ比が増加する。この場合、湾曲した形状の再生ヘッド素子をわざわざ形成する必要がなくなり、従来と同様の矩形の再生ヘッド素子を使用することが可能である。
【００２１】
また一方で、本発明の第３の態様によれば、記録媒体の磁気記録面に記録された磁化パターンの湾曲した形状に合わせて、Ｎ個（ここで、Ｎは２以上の任意の正の整数）に分割されたコア幅の小さな再生ヘッド素子部を並べ、各々の再生ヘッド素子部を電極により接続し、全体として湾曲した形状の再生ヘッド素子を形成することによって、リードギャップの形状を上記磁化パターンの形状にほぼ合致させるようにしている。それゆえに、前述の第１および第２の態様の場合と同様に、再生ヘッド素子が、トラックの端部の部分で湾曲した形状の磁化パターンを読み取ることがなくなり、トラックの端部のトラックエッジノイズが再生されないようになるので、再生信号のＳＮ比が増加する。この場合、コア幅の小さな再生ヘッド素子部を互いに接続することで全体として湾曲した形状の再生ヘッド素子を形成しているので、リードギャップの形状を上記磁化パターンの形状に合致させることが比較的容易になる。
【００２２】
また一方で、本発明の第４の態様によれば、記録媒体の磁気記録面に記録された磁化パターンの湾曲した形状に合わせて、Ｎ個に分割されたコア幅の小さな再生ヘッド素子部を並べ、各々の再生ヘッド素子部を電極およびピエゾ素子により接続し、さらに、各々の再生ヘッド素子部による再生信号の品質を判定し、この判定結果に応じて対応するピエゾ素子の寸法をそれぞれ変化させることによって、上記磁化パターンに対して最適なリードギャップの形状を実現するようにしている。これによって、トラックの端部のトラックエッジノイズが最小になるようにリードギャップの形状を調整することができるようになり、再生信号のＳＮ比が大幅に向上する。
【００２３】
また一方で、本発明の第５の態様によれば、本発明の磁気ヘッド（例えば、前述の第１の態様の磁気ヘッド）を備えたディスク装置において、記録媒体の磁気記録面に記録された磁化パターンの湾曲した形状に合わせて再生ヘッド素子を形成することによって、リードギャップの形状を上記磁化パターンの形状にほぼ合致させるようにしている。それゆえに、再生ヘッド素子が、トラックの端部の部分で湾曲した形状の磁化パターンを読み取ることがなくなり、トラックの端部のトラックエッジノイズが再生されないようになるので、再生信号のＳＮ比が増加する。
【００２４】
これに伴って、ディスク装置内のディスクのトラックの長さ方向に対する線記録密度（通常、ビット／インチ（ＢＰＩ）で表される）、および、当該トラックの幅方向に対するトラック密度（通常、トラック／インチ（ＴＰＩ）で表される）を増加させることが可能になる。それゆえに、全体として、ディスクの面記録密度を増加させることが可能になるという効果が生ずる。
【図面の簡単な説明】
【００２５】
本発明を、添付の図面を参照して以下に説明する。ここで、
【図１】図１は、一般の垂直磁気記録方式の磁気ヘッドによる情報記録の原理を説明するための模式図、
【図２】図２は、従来の垂直磁気記録方式の磁気ヘッドの構成例を示す断面図、
【図３】図３は、図２の磁気ヘッドにおける再生ヘッド部の構成を拡大して示す断面図、
【図４】図４は、湾曲して記録された磁化パターンと理想的な磁化パターンとを拡大して示す磁化パターン図、
【図５】図５は、本発明の磁気ヘッドを含むディスク装置の機構部の概略的構成を示す平面図、
【図６】図６は、本発明の磁気ヘッドを含むディスク装置の制御部の構成を示すブロック図、
【図７】図７は、本発明の第１の実施例に係る磁気ヘッドの構成を示す概略図、
【図８】図８は、本発明の第２の実施例に係る磁気ヘッドの構成を示す概略図、
【図９】図９は、本発明の第３の実施例に係る磁気ヘッドの構成を示す概略図、
【図１０】図１０は、本発明の第４の実施例に係る磁気ヘッドの構成を示す概略図、
【図１１】図１１は、図１０の実施例においてピエゾ素子を制御するための構成を示すブロック図、
【図１２】図１２は、本発明の第５の実施例に係る磁気ヘッドの構成を示す概略図、
【図１３】図１３は、本発明の第６の実施例に係る磁気ヘッドの構成を示す概略図、そして
【図１４】図１４は、本発明の第７の実施例に係る磁気ヘッドの構成を示す概略図である。
【発明を実施するための最良の形態】
【００２６】
まず、本発明の磁気ヘッドを含むディスク装置の構成、および本発明の実施例に係る磁気ヘッドの構成を説明する前に、一般の垂直磁気記録方式の磁気ヘッドによる情報記録の原理、従来の垂直磁気記録方式の磁気ヘッド、および、それらの問題点を、添付の図面（図１〜図４）を参照して詳述する。【００２７】
図１は、一般の垂直磁気記録方式の磁気ヘッドによる情報記録の原理を説明するための模式図である。ただし、ここでは、一般の垂直磁気記録方式の磁気ヘッドの記録ヘッド部として、単磁極型の垂直磁気記録ヘッドを用いている。以下、図１を参照しながら、単磁極型の垂直磁気記録ヘッドを用いた場合の情報記録の原理を説明する。【００２８】
一般に、垂直磁気記録方式の垂直磁気記録ヘッドにより情報記録を行う場合、記録媒体８として、図１に示すような垂直２層媒体が使用される。この垂直２層媒体は、記録媒体面に垂直な方向に磁化された２種類の磁化ＭＴが情報として記録されている磁気記録面の記録層８０と、この記録層の下部に位置する裏打ち層８１とが積層された構造になっている。この裏打ち層８１は、記録層８内の磁化ＭＴを記録媒体の磁気記録面に垂直な方向に保持しておく機能を有しており、通常、鉄（Ｆｅ）およびニッケル（Ｎｉ）の元素を含むパーマロイ（ＦｅＮｉ）等の軟磁性材料から作製される。このため、裏打ち層８１は軟磁性下部層（ＳＵＬ（Soft Under layer）とも称する）とも呼ばれる。記録媒体８がディスクである場合、ディスクの回転方向の下流側がトレーリングエッジ側ＴＳ（単にトレーリング側とも称する）であり、上流側がリーディングエッジ側ＬＳ（単にリーディング側とも称する）である。【００２９】
図１に示す垂直磁気記録ヘッドは、記録媒体８の磁気記録面に垂直な方向の磁界を印加する単一の主磁極部１１と、記録媒体の磁気記録面の記録層８０を通して外部に出てくる磁界を吸収する補助磁極部１２と、主磁極部１１および補助磁極部１２を磁気的に接続するための磁性材料からなる接続部１３とを有する。記録媒体８の記録層８０に情報を記録したい場合、主磁極部１１の近傍の薄膜コイル１４に電流を流して所定の磁界を生成する。この薄膜コイル１４にて生成された磁界は主磁極部１１を通過し、記録媒体８の記録媒体面に垂直な方向の記録磁界として記録層８０に印加される。さらに、記録層８０から外部に出てくる磁界は、補助磁極部１２に吸収される。【００３０】
換言すれば、薄膜コイル１４からの磁界によって主磁極部１１内で絞り込まれた磁束ＭＦは，記録層８０を通過して裏打ち層８１に到達し、記録層８０を再度通過して補助磁極部１２に入り込む。上記の主磁極部１１、記録媒体８、補助磁極部１２および接続部１３により磁気回路が形成される。この磁気回路を利用して、記録媒体８の磁気記録面に垂直な方向の磁化ＭＴ（情報）を記録層８０に記録することができる。このように、単磁極型の垂直磁気ヘッドを用いて、記録層と裏打ち層とが積層された記録媒体（すなわち、垂直２層媒体）に情報を記録する場合、垂直磁気ヘッドと記録媒体との相関がかなり大きくなる。【００３１】
図２は、上記の単磁極型の垂直磁気ヘッドを含むような従来の垂直磁気記録方式の磁気ヘッドの構成例を示す断面図である。ここでは、上記の単磁極型の垂直磁気ヘッドからなる記録ヘッド部１と、記録媒体（例えば、垂直２層媒体）上の記録層の任意の位置に記録されている情報を再生する再生ヘッド部２とを有する磁気ヘッド１０の概略的構成を示す。なお、図２の（ａ）は、磁気ヘッド１０の媒体対向面（ヘッド浮上面）に垂直な方向の断面図を示しており、同図の（ｂ）は、磁気ヘッド１０の媒体対向面に沿った断面図を示している。なお、これ以降、前述した構成要素と同様のものについては、同一の参照番号を付して表すこととする。【００３２】
図２の磁気ヘッド１０において、記録ヘッド部１は、前述の図１の垂直磁気記録ヘッドとほぼ同様に、記録媒体の磁気記録面に垂直な方向の磁界を印加する単一の主磁極部１１と、記録媒体の磁気記録面の記録層（図１参照）を通して外部に出てくる磁界を吸収する補助磁極部１２と、主磁極部１１および補助磁極部１２を磁気的に接続するための磁性材料からなる接続部１３とを有する。さらに、図２の記録ヘッド部１では、薄膜コイル１４からの磁界を集束して主磁極部１１に効率良く供給するための磁性材料からなるヨーク部１５が、主磁極部１１と接続部１３との間に形成されている。さらに、図２の記録ヘッド部１では、磁気ヘッド１０の外部からの浮遊磁界（浮遊磁場）が記録ヘッド部内に侵入するのを抑制するための磁性材料からなる記録ヘッド部シールド層１６が、磁気ヘッド１０の上部に配置されている。一般に、上記の記録ヘッド部１内の主磁極部１１、補助磁極部１２、接続部１３、薄膜コイル１４、ヨーク部１５および記録ヘッド部シールド層１６等の構成要素は、非磁性絶縁層により覆われているが、図２ではこの非磁性絶縁層の記載を省略する。【００３３】
図２の磁気ヘッド１０において、記録媒体上の記録層に情報を記録したい場合、前述の図１の垂直磁気記録ヘッドとほぼ同様に、主磁極部１１の近傍の薄膜コイル１４に電流を流して所定の磁界を生成する。この薄膜コイル１４にて生成された磁界は、ヨーク部１５を介して主磁極部１１を通過し、記録媒体の磁気記録面に垂直な方向の記録磁界として記録層に印加される。さらに、記録層から外部に出てくる磁界は、補助磁極部１２に吸収される。上記のヨーク部１５、主磁極部１１、記録媒体、補助磁極部１２および接続部１３により磁気回路が形成される。この磁気回路を利用して、記録媒体の磁気記録面に垂直な方向の磁化（情報）を記録層に記録することができる。【００３４】
さらに、図２の磁気ヘッド１０において、再生ヘッド部２は、アルチック（Ａｌ2Ｏ3・ＴｉＯ）等のセラミック材料よりなる非磁性基板２３上に形成された磁性材料よりなる下部シールド層２２と、この下部シールド層２２の上に非磁性絶縁層（図示されていない）を介して形成された磁気抵抗効果素子（通常、ＭＲ（Magnetoresistance effect）素子と略記される）等の再生ヘッド素子２０と、この再生ヘッド素子２０の上に非磁性絶縁層（図示されていない）を介して形成された磁性材料よりなる上部シールド層２１とを有する。上部シールド層２１および下部シールド層２２は、外部からの浮遊磁界が再生ヘッド素子内に侵入するのを抑制する機能を有しており、その厚みは、それぞれ例えば１〜２μｍ（ミクロンメータ）である。上記の再生ヘッド素子として、異方性磁気抵抗効果素子（ＡＭＲ（Anisotropic Magnetoresistance effect）素子とも称する）、巨大磁気抵抗効果素子（ＧＭＲ（Giant Magnetoresistance effect）素子とも呼ばれる）、またはトンネル磁気抵抗効果素子（ＴＭＲ（Tunneling Magnetoresistance effect）素子とも呼ばれる）等の磁気抵抗効果を示す感磁性膜を用いた素子を用いることができる。【００３５】
さらに、再生ヘッド部２の上部シールド層２０の上に非磁性絶縁層（図示されていない）が形成されており、この非磁性絶縁層の上に、記録ヘッド部１の補助磁極部１２が形成されている。この補助磁極部１２の上部には、前述のような薄膜コイル１４、接続部１３、ヨーク部１５、主磁極部１１および記録ヘッド部シールド層１６が形成されている。【００３６】
磁気ディスク装置等のディスク装置においては、図２に示したような記録ヘッド部１（すなわち、単磁極型の垂直磁気記録ヘッド）を用いて記録媒体上の磁気記録面の任意の位置に情報を記録したり、図２に示したような再生ヘッド部２を用いて上記磁気記録面の任意の位置の情報を再生したりすることができる。【００３７】
ここで、磁気ディスク装置等の磁気記録装置では、ディスク等の記録媒体の単位面積当たりの記録容量を多くするために、記録媒体の面記録密度を大きくする必要がある。この面記録密度を大きくするためには、ディスク等の記録媒体のトラックの長さ方向（すなわち、ディスク等の回転方向）に対する線記録密度と、トラックの幅方向（すなわち、ディスク等の半径方向）に対するトラック密度とを向上させる必要がある。
一般に、ディスク等の記録媒体は、磁気ヘッドによるアクセスが可能な複数の同心円状のトラックにより構成されている。さらに、各々のトラックは、複数の記録領域に区分されている。この複数の記録領域の各々は、複数のビットにより構成されており、「セクタ」と呼ばれる。代表的に、現在使用されている記録媒体のトラックの１ビットの長さは、５０〜７０μｍであり、トラックの幅は２００ｎｍ（ナノメートル）である。【００３８】
図３は、図２の磁気ヘッドにおける再生ヘッド部の構成を拡大して示す断面図である。ここでは、図２の再生ヘッド部１の主要部が拡大された状態で、磁気ヘッドのヘッド浮上面に沿った断面図が図示されている。【００３９】
図３の再生ヘッド部１は、図２で説明したように、非磁性基板２３上に形成された磁性材料よりなる下部シールド層２２と、この下部シールド層２２の上に非磁性絶縁層を介して形成されたＭＲ素子等の再生ヘッド素子２０と、この再生ヘッド素子２０の上に非磁性絶縁層を介して形成された磁性材料よりなる上部シールド層２１とを有する。【００４０】
さらに、再生ヘッド素子２０の両端部には、非磁性の導電性材料よりなる一対の電極２５−１、２５−２が接続されており、この一対の電極２５−１、２５−２には、非磁性の導電性材料よりなるリード端子部２６−１、２６−２がそれぞれ接続されている。これらのリード端子部２６−１、２６−２および一対の電極２５−１、２５−２から再生ヘッド素子２０へ所定の電流を供給することにより、ＭＲ素子等の再生ヘッド素子２０を用いて、記録媒体の磁気記録面に記録されている情報を読み出して再生することが可能になる。【００４１】
図３に示すように、従来の垂直磁気記録方式の磁気ヘッドでは、再生ヘッド素子２０のヘッド浮上面の形状は矩形になっている。この場合、再生ヘッド部２（図２参照）と記録媒体の磁気記録面との間の設けられているリードギャップの形状は、再生ヘッド素子２０の形状により決まっているので、同様に矩形になる。【００４２】
図４は、湾曲して記録された磁化パターンと理想的な磁化パターンとを拡大して示す磁化パターン図である。【００４３】
図２に示したような従来の垂直磁気記録方式の磁気ヘッドを用いて、記録層と裏打ち層とが積層された記録媒体に対して垂直磁気記録方式の情報記録を行う場合、記録ヘッド部１（図２参照）の主磁極部１１（図２参照）から記録媒体の記録面に印加される記録磁界強度の分布は、長手磁気記録方式の情報記録の場合と大幅に異なっている。より詳しくいえば、垂直磁気記録方式の情報記録を行う場合の記録磁界強度の等高線は、主磁極部１１の中心部を最大強度として同心円状に分布し、等高線の外側ほど膨らんだ分布を示している。それゆえに、記録媒体上の磁気記録面の磁化状態を決定するトレーリング側の記録磁界強度の分布は湾曲した形状になる。【００４４】
このような記録磁界分布を有する記録ヘッド部１を用いて、ディスク等の記録媒体に情報の書き込みを行った場合、磁気力顕微鏡（ＭＦＭ（Magnetic Force Microscopy ）とも呼ばれる）等のイメージを利用して磁化パターンを観察した場合の磁化パターンＭＰの状態を拡大して図４に示す。さらに、図４の（ａ）は、従来の垂直磁気記録方式の磁気ヘッドにより湾曲して記録された磁化パターンＭＰを示しており、図４の（ｂ）は、理想的な磁化パターンＭＰを示している。なお、図４では、磁気記録面に垂直な方向の磁化パターンＭＰの磁化の方向がビット単位で反転している状態を白黒コントラストにより表している。【００４５】
図４の（ａ）に示すように、ディスクの半径方向に関していえば、ディスク上のトラックＴＲの中心部において磁化パターンＭＰの磁化の方向が反転する位置は、トラックＴＲの端部において磁化パターンＭＰの磁化の方向が反転する位置よりもディスクの回転方向側に位置している。このため、ディスク上の磁化パターンＭＰの磁化の方向が反転した場合の反転形状が湾曲してしまう。これに対し、理想的な状態で情報の書き込みを行った場合の磁化パターンの反転形状は、図４の（ｂ）に示すように、良好な白黒コントラストを有する直線的な形状（矩形の形状）になる。【００４６】
図４の（ａ）に示したような湾曲した形状の磁化パターンに対して、リードギャップの形状が矩形のタイプの再生ヘッド部により情報を再生する場合、ディスクの半径方向に対するトラックＴＲの端部の部分で前のビットの一部を再生してしまうことになる。このため、従来の垂直磁気記録方式の磁気ヘッドにおいては、トラックＴＲの端部のトラックエッジノイズが再生信号に混入し、再生信号の信号対雑音比（ＳＮ比）が低下するという問題が生じていた。これと同時に、記録媒体の線記録密度の上昇に伴い、湾曲した形状の磁化パターンが記録されているトラックの幅が実質的に狭められて見えてしまうという問題も生じていた。【００４７】
以下、本発明の磁気ヘッドを含むディスク装置の構成、および本発明の実施例に係る磁気ヘッドの構成を、添付の図面（図５〜図１４）を参照して詳述する。【００４８】
図５は、本発明の磁気ヘッドを含むディスク装置の機構部の概略的構成を示す平面図であり、図６は、上記ディスク装置の制御部の構成を示すブロック図である。【００４９】
ただし、ここでは、本発明の実施例に係るディスク装置として、ハードディスク等の回転するディスク１１０に対する情報（データ）の記録および再生を行うための本発明の磁気ヘッド１０ａを備えた磁気ディスク装置等のディスク装置１００を例示している。
この場合、磁気ヘッド１０ａは、図７〜図１４にて後述するような本発明の実施例に係る磁気ヘッドにより構成される。この磁気ヘッド１０ａは、ディスク１１０の磁気記録面の任意の位置（トラック）に情報を記録する記録ヘッド部（例えば、前述の図１に示したような従来の磁気ヘッドの記録ヘッド部１）と、上記磁気記録面の任意の位置に記録されている情報を再生する再生ヘッド素子（例えば、後述の図７〜図１４に示すような構造の再生ヘッド素子）を含む再生ヘッド部とを具備する。
例えば、図５および図６に示すディスク装置１００が、後述の図７に示すような本発明の第１の実施例に係る垂直磁気記録方式の磁気ヘッドを備えている場合、当該磁気ヘッドの再生ヘッド部において、ディスク１１０の磁気記録面のトラックに記録された磁化パターンの湾曲した形状に合わせて再生ヘッド素子を形成することによって、リードギャップの形状を上記磁化パターンの形状にほぼ合致させるようにしている。これによって、再生ヘッド素子が、トラックの端部の部分で湾曲した形状の磁化パターンを読み取ることがなくなり、トラックの端部のトラックエッジノイズが再生されないようになるので、再生信号のＳＮ比が増加する。
図５および図６に示すディスク装置１００は、大まかにいって、ディスク装置内のディスク１１０、磁気ヘッド１０ａ、スピンドルモータ１１２およびボイスコイルモータ１１４等の機構部１０２と、磁気ヘッド１０ａによるデータ書き込み動作およびデータ読み出し動作等の各種の動作を制御する制御部１０３とを備えている。ここで、機構部１０２を構成する各々の構成要素はディスクエンクロージャ内に収納されており、制御部１０３を構成する電子回路系は、プリント回路アセンブリ（プリント基板）上に実装される複数のＬＳＩ（大規模集積回路）等の集積回路により作製される。上記の機構部１０２には、スピンドル１１１に結合されるスピンドルモータ１１２によって回転駆動される単一または複数のハードディスク等の回転するディスク１１０が同軸上に設けられている。【００５０】
上記のスピンドル１１１およびスピンドルモータ１１２は、ディスク１１０を回転可能に駆動するディスク駆動部の主要部を構成する。スピンドルモータ１１２の動作は、制御部１０３のサーボコントローラ１２２（図６参照、図６ではＳＶＣと略記する）により制御されている。【００５１】
ディスク１１０の表面（または裏面）の磁気記録面には、複数のトラック（または複数のシリンダ）が形成されており、このトラックの任意の位置（セクタともよばれる）に所定のデータに対応するデータパターンが書き込まれている。【００５２】
ここで、「シリンダ」とは、複数のディスクが積層されて配置されている場合に、各々のディスク上で複数の磁気ヘッドによって同時にアクセスすることが可能な垂直方向の複数のトラックの集合体（すなわち、シリンダ状の複数のトラック）を指し示す用語である。【００５３】
より詳しくいえば、サーボ面サーボ方式を用いたディスク装置では、複数のディスクの内、いずれか一つのディスクの磁気記録面が、サーボ制御用のサーボ信号に対応するサーボ信号パターンが形成されたサーボ面になっており、他のディスクの磁気記録面は、全てデータパターンが形成されたデータ面になっている。また一方で、データ面サーボ方式を用いたディスク装置では、複数のディスクの各々の磁気記録面に、データパターンおよびサーボ信号パターンの両方が形成されている。最近は、後者のデータ面サーボ方式を用いたディスク装置が一般に使用される傾向にある。【００５４】
前述のように、図５のディスク装置１００においては、ディスク１１０の磁気記録面の任意の位置にデータを書き込むと共に、上記磁気記録面の任意の位置に書き込まれているデータを読み出すための磁気ヘッド１０ａが設けられている。この磁気ヘッド１０ａは、ヘッド支持用のアーム１１７の先端に実装されている。このアーム１１７は、サーボコントローラ１２２（図６参照）により制御されるボイスコイルモータ１１４によって、ディスク１１０の内周部（インナ側）の位置と外周部（アウタ側）の位置との間を往復移動するように駆動される。これによって、ディスク１１０の磁気記録面でデータが書き込まれている全てのデータ領域に対するアクセスを行うことが可能になる。ここで、アーム１１７の往復移動がスムーズに行えるようにするために、ボイスコイルモータ１１４の中心部にピボットベアリング１３０が取り付けられている。上記のアーム１１７、ボイスコイルモータ１１４およびピボットベアリング１３０は、磁気ヘッド１０ａを駆動するヘッド駆動部の主要部を構成する。【００５５】
例えば、ボイスコイルモータ１１４によってアーム１１７が矢印Ｂの方向に回転することにより、磁気ヘッド１０ａがディスク１１０の半径方向に移動し、所望のトラックを走査することが可能になる。ボイスコイルモータ１１４およびアーム１１７を含む構成要素は、ヘッドアクチュエータともよばれている。さらに、このヘッドアクチュエータにはフレキシブルプリント基板（通常、ＦＰＣ（Flexible Printed Circuit）と略記される）１３１が取り付けられており、このフレキシブルプリント基板１３１を経由して、ボイスコイルモータ１１４および磁気ヘッド１０ａの動作を制御するためのサーボ信号Ｓｄｖ（図６参照）が供給される。【００５６】
ディスク１１０の外周部には、ランプ機構１１８が配置されており、アーム１１７の先端に係合して磁気ヘッド１０ａをディスク１１０から離間させて保持するようになっている。【００５７】
さらに、ディスク装置１００では、ディスク装置１００の制御部１０３（図６参照）と外部のホストプロセッサ等の上位システム９（図６参照）とを接続するためのインタフェースコネクタ（図示されていない）が設けられている。【００５８】
つぎに、図６を参照しながら、本発明の実施例に係るディスク装置の制御部の構成を詳しく説明する。【００５９】
図６に示すように、磁気ヘッド１０ａによりディスク１１０から読み取られた再生信号は、ディスクエンクロージャ内のヘッド  ＩＣ１１９に供給され、ヘッド位置検出部１２０により検出・増幅された後に制御部１０３に供給される。【００６０】
図６に示す制御部１０３において、ヘッド  ＩＣ１１９により供給された再生信号Ｓｒから、データ情報およびサーボ情報Ｐｓを復調するリードチャネル（図３では、ＲＤＣと略記する）１２１と、このリードチャネル１２１から出力されるサーボ情報Ｐｓに基づいてデータの読み出し／書き込みに関連する全ての動作を制御するマイクロプロセッサユニット（図６では、ＭＰＵと略記する）４とが、プリント回路アセンブリ上に実装されている。上記のサーボ情報Ｐｓの中から、磁気ヘッド１０ａのディスク面上のトラック位置に関する位置情報を取り出すことができる。【００６１】
さらに、図６に示す制御部では、ディスク装置１００の外部のホストプロセッサ等の上位システム９から発行されるコマンドに従ってディスク装置１００の動作を制御するハードディスクコントローラ（図３では、ＨＤＣと略記する）５と、データの読み出し／書き込み等を実行するためのプログラムを格納するＲＯＭ（Read-Only Memory）６と、読み出し／書き込みの対象となるデータを一時的に記憶するＲＡＭ（Random Access Memory）７と、スピンドルモータ１１２およびボイスコイルモータ１１４の動作を制御するサーボコントローラ１２２とが、プリント回路アセンブリ上に実装されている。好ましくは、ＲＡＭ７として、高速大容量のダイナミックＲＡＭ（通常、ＤＲＡＭと略記される）が使用される。【００６２】
上記のような構成の制御部において、上位システム９からデータ書き込み用のライトコマンドが発行された場合、ＭＰＵ４は、ＲＯＭ６に予め記憶されているプログラム（プログラム関連情報Ｓｃ）に従って動作し、リードチャネル制御信号をリードチャネル１２１に送出する。このリードチャネル１２１は、読み出し／書き込み用のデータ信号（Ｒ／Ｗ  ＤＡＴＡ）に基づいて、書き込み信号Ｓｗをヘッド  ＩＣ１１９に送出する。このヘッド  ＩＣ１１９は、書き込み信号Ｓｗを増幅して磁気ヘッド１０ａに送出する。【００６３】
また一方で、上位システム９からデータ読み出し用のリードコマンドが発行された場合、ＭＰＵ４は、ＲＯＭ６に予め記憶されているプログラム（プログラム関連情報Ｓｃ）に従って動作し、ハードディスク制御信号Ｓ−ＨＤＣをヘッド  ＩＣ１１９に送出する。このヘッド  ＩＣ１１９は、磁気ヘッド１０ａから出力される再生信号を増幅してリードチャネル１２１に送出する。ここで、リードチャネル１２１は、書き込み／読み出し用のデータ信号（Ｒ／Ｗ  ＤＡＴＡ）に基づいて、再生信号Ｓｒがディスク面上の正しい位置のセクタから読み出されているか否かを確認し、当該セクタの位置に関する位置情報を含むサーボ情報ＰｓをＭＰＵ４に送出する。【００６４】
さらに、ＭＰＵ４は、上位システム９からの各種制御信号およびサーボ情報Ｐｓに基づいて、ボイスコイルモータ１１４の動作を制御するためのＶＣＭ制御信号Ｓ−ＶＣＭを生成し、サーボコントローラ１２２に送出する。このＶＣＭ制御信号Ｓ−ＶＣＭをもとに生成されるボイスコイルモータ用のサーボ信号Ｓｄｖが、ドライバ１２３を介してボイスコイルモータ１１４に供給される。そして、このサーボ信号Ｓｄｖに従ってボイスコイルモータ１１４が起動し（ボイスコイルモータ１１４に電流Ｉ−ＶＣＭが流れ）、磁気ヘッド１０ａを指定された位置にシークさせる等の動作が実行される。これと同時に、ＶＣＭ制御信号Ｓ−ＶＣＭをもとに生成されるスピンドルモータ用のサーボ信号Ｓｄｓが、ドライバ１２４を介してスピンドルモータ１１２に供給される。そして、このサーボ信号Ｓｄｓに従ってスピンドルモータ１１２が起動し（スピンドルモータ１１２に電流Ｉ−ＤＣＭが流れ）、ディスク１１０が回転駆動される。【００６５】
上記のような制御部の構成は、基本的に、一般に使用されているディスク装置の制御部の構成と同じである。【００６６】
さらに、図５および図６の実施例に係るディスク装置では、コンピュータ読み取り可能な記録媒体（または記憶媒体）を使用して図６の制御部を動作させる場合、上記のようなプログラムの内容を保持している記録媒体（例えば、ディスク装置１００内のハードディスク等のディスク１１０）を用意することが好ましい。なお、このような記録媒体は、上記したものに限らず、フロッピィディスクやＭＯ（Magneto-Optical Disk：光磁気ディスク）やＣＤ−Ｒ（Compact Disk-Recordable）やＣＤ−ＲＯＭ（Compact Disk Read-only Memory）等の可搬形媒体、その他の固定形媒体など種々の記録媒体の形態で提供可能なものである。【００６７】
図５および図６の実施例に係るディスク装置によれば、後述の図７に示すような構造の再生ヘッド素子（または、図８〜図１４のいずれかに示すような構造の再生ヘッド素子）を使用することによって、リードギャップの形状をディスクの磁気記録面の磁化パターンの形状にほぼ合致させるようにすることができる。それゆえに、再生ヘッド素子が、トラックの端部の部分で湾曲した形状の磁化パターンを読み取ることがなくなり、再生信号のＳＮ比が増加する。【００６８】
それゆえに、ディスク装置内のディスクのトラックの長さ方向に対する線記録密度、および、当該トラックの幅方向に対するトラック密度が増加し、全体として、ディスクの面記録密度を増加させることが可能になる。【００６９】
図７は、本発明の第１の実施例に係る磁気ヘッドの構成を示す概略図である。ただし、ここでは、本発明の第１の実施例に係る垂直磁気記録方式の磁気ヘッド１０ａの中で、特徴的な部分である再生ヘッド素子３の構造を簡略化して示す。【００７０】
図４に基づいて説明したように、ディスクの半径方向に関していえば、ディスク上のトラックＴＲの中心部において磁化パターンＭＰの磁化の方向が反転する位置は、トラックＴＲの端部において磁化パターンＭＰの磁化の方向が反転する位置よりもディスクの回転方向側に位置している。このため、ディスク上の磁化パターンＭＰの磁化の方向が反転した場合の反転形状が湾曲してしまう。このような湾曲した形状の磁化パターンＭＰを再度図７に示す。【００７１】
図７に示すような湾曲した形状の磁化パターンＭＰに対して、リードギャップの形状が矩形であるような従来の磁気ヘッドの再生ヘッド素子２０により情報を再生する場合、ディスクの半径方向に対するトラックＴＲの端部の部分で前のビットの一部を再生してしまうことになる。このため、従来の磁気ヘッドの再生ヘッド素子２０においては、トラックＴＲの端部のトラックエッジノイズが再生信号に混入し、再生信号のＳＮ比が低下する。
これに対し、図７の第１の実施例に係る磁気ヘッド１０ａにおいては、磁化パターンＭＰの湾曲した形状に合わせて、湾曲した形状の再生ヘッド素子３を形成することによって、再生ヘッド素子３と磁気記録面との間のリードギャップの形状を磁化パターンＭＰの形状にほぼ合致させるようにしている。【００７２】
それゆえに、図７の第１の実施例に係る磁気ヘッド１０ａでは、再生ヘッド素子３が、トラックＴＲの端部の部分で湾曲した形状の磁化パターンを読み取ることがなくなる。この結果、トラックＴＲの端部のトラックエッジノイズが再生されないようになるので、再生信号のＳＮ比が増加する。
一般に、再生ヘッド素子３の寸法の許容誤差範囲は、記録ヘッド部内の主磁極部（例えば、図２参照）の寸法の許容誤差範囲よりも大きくなっているので、図７のような湾曲した形状の再生ヘッド素子３を形成することは技術的に容易である。【００７３】
図８は、本発明の第２の実施例に係る磁気ヘッドの構成を示す概略図である。ただし、ここでは、本発明の第２の実施例に係る垂直磁気記録方式の磁気ヘッド１０ａの中で、特徴的な部分である再生ヘッド素子３ａおよび磁気シールド部材３ｂの構造を簡略化して示す。
図８の第２の実施例に係る磁気ヘッド１０ａにおいては、再生ヘッド部の上部シールド層（図３参照）および下部シールド層（図３参照）の一部を磁気シールド部材３ｂにより構成し、磁化パターンＭＰ（図７参照）の湾曲した形状に合わせて、磁気シールド部材３ｂの一部に湾曲した形状の窓部３ｃを形成している。さらに、磁気シールド部材３ｂの窓部３ｃ以上の寸法を有する再生ヘッド素子３ａを形成し、この再生ヘッド素子３ａと磁気シールド部材３ｂとを張り合わせる等の方法によって両者を組み合わせるようにしている。このような構造では、磁化パターンＭＰ（図７参照）により発生する磁束は、再生ヘッド素子３ａの窓部３ｃの部分でしか読み取ることができないようになっているので、結果的に、再生ヘッド素子３ａと磁気記録面との間のリードギャップの形状を磁化パターンＭＰ（図７参照）の形状にほぼ合致させることができるようになる。なお、図８では、再生ヘッド素子３ａは矩形の形状を有しているが、磁気シールド部材３ｂの窓部３ｃ以上の寸法を有するものであれば、どのような形状の再生ヘッド素子を用いてもよい。【００７４】
図８の第２の実施例に係る磁気ヘッド１０ａによれば、前述の第１の実施例（図７参照）の場合と同様に、再生ヘッド素子３ａが、トラックの端部の部分で湾曲した形状の磁化パターンを読み取ることがなくなり、トラックの端部のトラックエッジノイズが再生されないようになるので、再生信号のＳＮ比が増加する。この場合、湾曲した形状の再生ヘッド素子をわざわざ形成する必要がなくなり、従来と同様の矩形の再生ヘッド素子を使用することが可能である。【００７５】
図９は、本発明の第３の実施例に係る磁気ヘッドの構成を示す概略図である。ただし、ここでは、本発明の第３の実施例に係る垂直磁気記録方式の磁気ヘッド１０ａの中で、特徴的な部分である再生ヘッド素子３０の構造を簡略化して示す。【００７６】
図９の第３の実施例に係る磁気ヘッド１０ａにおいては、再生ヘッド素子３０をＮ個（（ここで、Ｎは２以上の任意の正の整数）の再生ヘッド素子部に分割し、磁化パターンＭＰ（図７参照）の湾曲した形状に合わせて、Ｎ個の再生ヘッド素子部を全体として湾曲した形状に並べている。例えば、図９の再生ヘッド素子３０においては、５個の再生ヘッド素子部３０−１、３０−２、３０−３、３０−４および３０−５に分割した例が示されているが、本発明はこれに限定するものではない。さらに、磁化パターンＭＰ（図７参照）の湾曲した形状に合わせて、相隣り合う再生ヘッド素子部の間を複数の電極３１−１、３１−２、３１−３および３０−４により接続することによって、再生ヘッド素子３０と磁気記録面との間のリードギャップの形状を磁化パターンＭＰ（図７参照）の形状にほぼ合致させるようにしている。【００７７】
図９の第３の実施例に係る磁気ヘッド１０ａによれば、前述の実施例（図７および図８参照）の場合と同様に、複数の再生ヘッド素子部からなる再生ヘッド素子３０が、トラックの端部の部分で湾曲した形状の磁化パターンＭＰ（図７参照）を読み取ることがなくなり、トラックの端部のトラックエッジノイズが再生されないようになるので、再生信号のＳＮ比が増加する。
上記の第３の実施例では、コア幅の小さな再生ヘッド素子部を互いに接続することで全体として湾曲した形状の再生ヘッド素子３０を形成しているので、リードギャップの形状を磁化パターンの形状に合致させることが比較的容易に行われる。【００７８】
図１０は、本発明の第４の実施例に係る磁気ヘッドの構成を示す概略図であり、図１１は、図１０の実施例においてピエゾ素子（圧電素子）を制御するための構成を示すブロック図である。ただし、ここでは、本発明の第４の実施例に係る垂直磁気記録方式の磁気ヘッド１０ａの中で、特徴的な部分である再生ヘッド素子３０の構造、および、この再生ヘッド素子３０を制御するための電子回路系の構成を簡略化して示す。
図１０の第４の実施例に係る磁気ヘッド１０ａにおいては、前述の図９の実施例の場合と同様に、再生ヘッド素子３２をＮ個の再生ヘッド素子部に分割し、磁化パターンＭＰ（図７参照）の湾曲した形状に合わせて、Ｎ個の再生ヘッド素子部を全体として湾曲した形状に並べている。例えば、図１０の再生ヘッド素子３０においては、５個の再生ヘッド素子部３２−１、３２−２、３２−３、３２−４および３２−５に分割した例が示されているが、本発明はこれに限定するものではない。さらに、磁化パターンＭＰ（図７参照）の湾曲した形状に合わせて、相隣り合う再生ヘッド素子部の間を複数の電極３３−１、３３−２、３３−３および３３−４により接続し、かつ、相隣り合う再生ヘッド素子部の間を複数のピエゾ素子３３−１ａ、３３−１ｂ、３３−２ａ、３３−２ｂ、３３−３ａ、３３−３ｂ、３３−４ａおよび３３−４ｂにより接続している。
さらに、本発明の第４の実施例においては、図１１に示すように、各々の再生ヘッド素子部により磁化パターン（図７参照）の情報を再生して得られる再生信号Ｓｒの品質を判定する信号品質判定回路４０と、この信号品質判定回路４０により再生信号Ｓｒの品質判定結果として出力される電圧に応じて、各々の再生ヘッド素子部の対応するピエゾ素子を制御するピエゾ制御回路４１とが設けられている。このピエゾ制御回路４１は、リード端子部ＬＥを介して各々の再生ヘッド素子部の対応するピエゾ素子に接続される。
例えば、図１１では、相隣り合う再生ヘッド素子部３２−ｋ、３２−ｋ＋１（ここで、ｋは、１≦ｋ≦（Ｎ−１）の任意の正の整数）の間を、電極３３−ｋおよびピエゾ素子３３−ｋａ、３３−ｋｂにより接続し、さらに、このピエゾ素子３３−ｋａ、３３−ｋｂをリード端子部ＬＥを介してピエゾ制御回路４１に接続する例が図示されている。【００７９】
さらに、図１０および図１１の第４の実施例においては、各々の再生ヘッド素子部により磁化パターン（図７参照）の情報を再生して得られる再生信号Ｓｒの品質を判定し、この再生信号Ｓｒの品質判定結果として出力される電圧に応じて、各々の再生ヘッド素子部の対応するピエゾ素子の寸法を変化させることによって、再生ヘッド素子３２と磁気記録面との間のリードギャップの形状を磁化パターンＭＰ（図７参照）の形状にほぼ合致させるようにしている。【００８０】
好ましくは、図１１の信号品質判定回路４０およびピエゾ制御回路４１を含む電子回路系は、前述の図６のディスク装置の制御部を構成する電子回路系と同一のプリント基板上に実装される。さらに、図１１の信号品質判定回路４０およびピエゾ制御回路４１を含む電子回路系は、前述の図６のディスク装置の制御部と同様に、集積回路により作製される。
図１０および図１１の第４の実施例によれば、Ｎ個に分割されたコア幅の小さな再生ヘッド素子部を並べ、各々の再生ヘッド素子部を電極およびピエゾ素子により接続し、さらに、各々の再生ヘッド素子部による再生信号の品質を判定し、この判定結果に応じて対応するピエゾ素子の寸法をそれぞれ変化させることによって、磁化パターンに対して最適なリードギャップの形状を実現するようにしている。したがって、トラックの端部のトラックエッジノイズが最小になるようにリードギャップの形状を調整することが可能になり、前述の実施例（図７〜図９参照）の場合よりも再生信号のＳＮ比が大幅に向上する。【００８１】
図１２は、本発明の第５の実施例に係る磁気ヘッドの構成を示す概略図である。ただし、ここでは、本発明の第５の実施例に係る垂直磁気記録方式の磁気ヘッド１０ａの中で、特徴的な部分である再生ヘッド素子３４および一対の電極３５−１、３５−２の構造を簡略化して示す。
図１２の第５の実施例に係る磁気ヘッド１０ａにおいては、磁化パターンＭＰ（図７参照）の湾曲した形状を考慮して、再生ヘッド素子３４の両端の電極３５−１、３５−２の一部を延長し、この延長された電極の部分が、再生ヘッド素子３４の２つの角の部分でほぼ三角形の形状になるようにしている。さらに、このような形状の電極３５−１、３５−２に再生ヘッド素子３４を接続するようにしている。一般に、電極３５−１、３５−２は非磁性の導電材料により構成されているので、磁化パターンＭＰ（図７参照）により発生する磁束は、図１２に示すような湾曲した形状に近い形状の再生ヘッド素子３４により読み取られる。この結果、再生ヘッド素子３４と磁気記録面との間のリードギャップの形状を磁化パターンＭＰ（図７参照）の形状にほぼ合致させることができるようになる。【００８２】
図１２の第５の実施例に係る磁気ヘッド１０ａによれば、前述の実施例（図７〜図１１参照）の場合と同様に、再生ヘッド素子３４が、トラックの端部の部分で湾曲した形状の磁化パターンを読み取ることがなくなり、トラックの端部のトラックエッジノイズが再生されないようになるので、再生信号のＳＮ比が増加する。
図１３は、本発明の第６の実施例に係る磁気ヘッドの構成を示す概略図である。ただし、ここでは、本発明の第６の実施例に係る垂直磁気記録方式の磁気ヘッド１０ａの中で、特徴的な部分である再生ヘッド素子３６および電極３７−１、３７−２の構造を簡略化して示す。
図１３の第６の実施例に係る磁気ヘッド１０ａにおいては、磁化パターンＭＰ（図７参照）の形状に合わせて、非磁性の導電材料よりなる電極部材（３７−１、３７−２）の一部に窓部３７−３を形成し、電極部材（３７−１、３７−２）のほぼ中心部で上記電極部材を２つの部分に分断している。さらに、電極部材（３７−１、３７−２）の窓部３７−３以上の寸法を有する再生ヘッド素子３６と、２つの部分に分断された電極部材（３７−１、３７−２）とを張り合わせる等の方法によって両者を組み合わせるようにしている。このような構造では、磁化パターンＭＰ（図７参照）により発生する磁束は、再生ヘッド素子３４の窓部３７−３の部分でしか読み取ることができないようになっているので、結果的に、再生ヘッド素子３６と磁気記録面との間のリードギャップの形状を磁化パターンＭＰ（図７参照）の形状にほぼ合致させることができるようになる。なお、図１３では、再生ヘッド素子３４は矩形の形状を有しているが、電極部材（３７−１、３７−２）の窓部３７−３以上の寸法を有するものであれば、どのような形状の再生ヘッド素子を用いてもよい。【００８３】
図１３の第６の実施例に係る磁気ヘッド１０ａによれば、前述の実施例（図７〜図１２参照）の場合と同様に、再生ヘッド素子３６が、トラックの端部の部分で湾曲した形状の磁化パターンを読み取ることがなくなり、トラックの端部のトラックエッジノイズが再生されないようになるので、再生信号のＳＮ比が増加する。この場合、湾曲した形状の再生ヘッド素子をわざわざ形成する必要がなくなり、従来と同様の矩形の再生ヘッド素子を使用することが可能である。
図１４は、本発明の第７の実施例に係る磁気ヘッドの構成を示す概略図である。ただし、ここでは、本発明の第７の実施例に係る垂直磁気記録方式の磁気ヘッド１０ａの中で、特徴的な部分である再生ヘッド素子３８、第１の電極３９−１、３９−２および第２の電極３９−３の構造を簡略化して示す。
図１４の第７の実施例に係る磁気ヘッド１０ａにおいては、磁化パターンＭＰ（図７参照）の湾曲した形状を考慮して、再生ヘッド素子３８の両端に位置する第１の電極３９−１、３９−２の一部を延長し、この延長された電極の部分が、再生ヘッド素子３８の一方の側における角の部分でほぼ三角形の形状になるようにしている。さらに、再生ヘッド素子の他方の側の部分に、ほぼ台形の形状を有する第２の電極３９−３を形成している。さらに、第１の電極３９−１、３９−２および第２の電極３９−３に再生ヘッド素子３４を接続すると共に、第１の電極３９−１、３９−２のいずれか一方（図１４では、左側の第１の電極３９−１）と第２の電極３９−３とを接続するようにしている。一般に、第１および第２の電極３９−１、３９−２および３９−３は非磁性の導電材料により構成されているので、磁化パターンＭＰ（図７参照）により発生する磁束は、図１４に示すような湾曲した形状に近い形状の再生ヘッド素子３８により読み取られる。この結果、再生ヘッド素子３８と磁気記録面との間のリードギャップの形状を磁化パターンＭＰ（図７参照）の形状にほぼ合致させることができるようになる。【００８４】
図１４の第７の実施例に係る磁気ヘッド１０ａによれば、前述の実施例（図７〜図１３参照）の場合と同様に、再生ヘッド素子３８が、トラックの端部の部分で湾曲した形状の磁化パターンを読み取ることがなくなり、トラックの端部のトラックエッジノイズが再生されないようになるので、再生信号のＳＮ比が増加する。この場合、再生ヘッド素子３８の形状は、前述の図１３の実施例の場合よりも磁化パターンＭＰ（図７参照）の形状に近似しているので、前述の図１３の実施例の場合よりも再生信号のＳＮ比が向上する。この場合、湾曲した形状の再生ヘッド素子をわざわざ形成する必要がなくなり、従来と同様の矩形の再生ヘッド素子を使用することが可能である。【００８５】
図７〜図１４に示したような構造の再生ヘッド素子をディスク装置に適用することによって、ディスク装置の磁気ヘッド内の再生ヘッド素子が、トラックの端部の部分で湾曲した形状の磁化パターンを読み取ることがなくなり、再生信号のＳＮ比が増加する。この結果、ディスク装置内のディスクのトラックの長さ方向に対する線記録密度、および、当該トラックの幅方向に対するトラック密度が増加し、全体として、ディスクの面記録密度を増加させることが可能になる。【００８６】
本発明は、ディスク等の記録媒体のさらなる高密度化に対応するために、特に垂直磁気記録方式を用いて、記録媒体の磁気記録面に記録されている情報を再生する再生ヘッド素子を有する磁気ヘッドを備えた磁気ディスク装置や光磁気ディスク装置等のディスク装置に適用され得る。
【図１】
2007074522.tif 000003
【図２】
2007074522.tif 000004
【図３】
2007074522.tif 000005
【図４】
2007074522.tif 000006
【図５】
2007074522.tif 000007
【図６】
2007074522.tif 000008
【図７】
2007074522.tif 000009
【図８】
2007074522.tif 000010
【図９】
2007074522.tif 000011
【図１０】
2007074522.tif 000012
【図１１】
2007074522.tif 000013
【図１２】
2007074522.tif 000014
【図１３】
2007074522.tif 000015
【図１４】
2007074522.tif 000016
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に合わせて前記再生ヘッド素子を形成することによって、前記再生ヘッド素子と前記磁気記録面との間のギャップの形状を前記磁化パターンの形状にほぼ合致させるようにしたことを特徴とする磁気ヘッド。
【請求項２】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記記録媒体の前記任意の位置に記録された磁化パターンの形状に合わせて、磁気シールド部材の一部に窓部を形成し、前記磁気シールド部材の前記窓部以上の寸法を有する再生ヘッド素子と、前記磁気シールド部材とを組み合わせることによって、前記再生ヘッド素子と前記磁気記録面との間のギャップの形状を前記磁化パターンの形状にほぼ合致させるようにしたことを特徴とする磁気ヘッド。
【請求項３】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記再生ヘッド素子を複数の再生ヘッド素子部に分割し、前記記録媒体の前記任意の位置に記録された磁化パターンの形状に合わせて前記複数の再生ヘッド素子部を並べ、各々の前記再生ヘッド素子部を電極により接続することによって、前記再生ヘッド素子と前記磁気記録面との間のギャップの形状を前記磁化パターンの形状にほぼ合致させるようにしたことを特徴とする磁気ヘッド。
【請求項４】
記録媒体の磁気記録面の任意の位置に情報を記録する記録ヘッド部と、前記磁気記録面の任意の位置に記録されている情報を再生する再生ヘッド素子を含む再生ヘッド部とを有する磁気ヘッドにおいて、
前記再生ヘッド素子を複数の再生ヘッド素子部に分割し、前記記録媒体の前記任意の位置に記録された磁化パターンの形状に合わせて前記複数の再生ヘッド素子部を並べ、各々の前記再生ヘッド素子部を電極およびピエゾ素子により接続し、
各々の前記再生ヘッド素子部により前記情報を再生して得られる再生信号の品質を判定し、前記再生信号の品質判定結果として出力される電圧に応じて、各々の前記再生ヘッド素子部の対応するピエゾ素子の寸法を変化させることによって、前記再生ヘッド素子と前記磁気記録面との間のギャップの形状を前記磁化パターンの形状にほぼ合致させるようにしたことを特徴とする磁気ヘッド。
【請求項５】
ディスクを回転可能に駆動するディスク駆動部と、
前記ディスクの磁気記録面の任意の位置に情報を記録する記録ヘッド部と、前記磁気記録面の任意の位置に記録されている情報を再生する再生ヘッド素子を含む再生ヘッド部とを有する磁気ヘッドと、
前記ディスクの内周部の位置と外周部の位置との間を往復移動するように前記磁気ヘッドを駆動するヘッド駆動部と、
前記磁気ヘッドを用いて前記ディスクの前記任意の位置に情報を記録する動作、および、前記ディスクの前記任意の位置に記録されている情報を再生する動作を含む各種の動作を制御する制御部とを備えたディスク装置において、
前記ディスクの前記任意の位置に記録された磁化パターンの形状に合わせて前記再生ヘッド素子を形成することによって、前記再生ヘッド素子と前記磁気記録面との間のギャップの形状を前記磁化パターンの形状にほぼ合致させるようにしたことを特徴とするディスク装置。
【国際調査報告】
2007074522.tif 000017
2007074522.tif 000018